(57)【要約】 【課題】  本発明の石材を下地に装着するための治具によれば、石材を下地に装着する際の作業効率を向上せしめると共に、接着剤が劣化せしめられても建造物の下地から石材が離脱せしめられることが充分確実に回避することができる。【解決手段】本発明の治具は複数個の略矩形状金属製薄板（４）と、複数個の金属薄板の夫々を上下方向に間隔をおいて略平行に規定し、夫々の金属薄板の裏面に長手方向に間隔をおいて複数個付設された連結ストラップ（６）とから構成されている。薄板の下端部には長手方向に間隔をおいて複数個の孔（８）が形成されている。薄板の上端部には長手方向に延びる係止片（１０）が配設されている。係止片は該薄板の表面から上方に傾斜して延出せしめられている。【選択図】        図１
2005113503.tif 000002
【特許請求の範囲】
【請求項１】
略矩形状の金属製薄板から構成され、
該薄板の下端部には長手方向に間隔をおいて複数個の孔が形成されており、
該薄板の上端部には該長手方向に延びる係止片が配設され、該係止片は該薄板の表面から上方に傾斜して延出せしめられている、ことを特徴とする石材を下地に装着するための治具。
【請求項２】
該金属製薄板はアルミ押出形材である、請求項１記載の治具。
【請求項３】
該係止片は水平に対して３０乃至７０度の傾斜角αをなして上方に傾斜して延出せしめられている、請求項１又は２記載の治具。
【請求項４】
複数個の略矩形状の金属製薄板と、該複数個の金属製薄板の夫々を上下方向に間隔をおいて略平行に規定し、夫々の該金属製薄板の裏面に長手方向に間隔をおいて複数個付設された連結ストラップとから構成され、
夫々の該薄板の下端部には長手方向に間隔をおいて複数個の孔が形成されており、
夫々の該薄板の上端部には該長手方向に延びる係止片が配設され、該係止片は該薄板の表面から上方に傾斜して延出せしめられている、ことを特徴とする石材を下地に装着するための治具。
【請求項５】
該金属製薄板はアルミ押出形材である、請求項４記載の治具。
【請求項６】
該係止片は水平に対して３０乃至７０度の傾斜角αをなして上方に傾斜して延出せしめられている、請求項４又は５記載の治具。
【請求項７】
平板部材と、該平板部材の表面に配設されたクロスネットと、該クロスネットの表面に夫々が長手方向に間隔をおいて略平行に接着された複数個の略矩形状の金属製薄板とから構成され、
夫々の該薄板の下端部には長手方向に間隔をおいて複数個の孔が形成されており、
夫々の該薄板の上端部には該長手方向に延びる係止片が配設され、該係止片は該薄板の表面から上方に傾斜して延出せしめられている、ことを特徴とする石材を下地に装着するための治具。
【請求項８】
該平板部材はプラスチックフォーム材である、請求項７記載の治具。
【請求項９】
該金属製薄板はアルミ押出形材である、請求項７又は８記載の治具。
【請求項１０】
該係止片は水平に対して３０乃至７０度の傾斜角αをなして上方に傾斜して延出せしめられている、請求項７乃至９記載の治具。
【発明の詳細な説明】
【技術分野】
【０００１】
本発明は、構造物の下地に花崗岩（御影石とも称される）の如き石材を装着するための治具に関する。
【背景技術】
【０００２】
従来より、高級建造物の外装には花崗岩の如き石材が好適に使用されている。かような石材は比較的薄い平板状に加工せしめられており、その片面即ち表面は磨かれていて優れた外観を呈している。石材に所要加工を加えて段差部或いは溝部を形成することは容易ではなく、石材の裏面は通常平坦面である。かような石材を建造物の外装すべき下地に装着する際には、通常、下地に水糸を張り水平を見ながら、エポキシ系接着剤の如き適宜の接着剤によって点付け施工により石材の裏面を下地に接着している。
【発明の開示】
【発明が解決しようとする課題】
【０００３】
而して、上述したとおりの従来の石材を下地に装着するための方法には、（１）各々の
石材の上端或いは下端の水平を見るために水糸を下地に張っており、従がって作業効率が比較的悪い、（２）接着剤は経時変化によって劣化せしめられる故に長期間の使用の間に建造物の下じから石材が脱落して落下せしめられる虞がある。
【０００４】
本発明は上記事実に鑑みてなされたものであり、その技術的課題は、石材を下地に装着する際の作業効率を向上せしめると共に、接着剤が劣化せしめられても建造物の下地から石材が離脱せしめられることが充分確実に回避される、石材を下地に装着するための治具を提供することである。
【課題を解決するための手段】
【０００５】
本発明の一局面によれば、上記技術課題を達成する治具として、略矩形状の金属製薄板から構成され、
該薄板の下端部には長手方向に間隔をおいて複数個の孔が形成されており、
該薄板の上端部には該長手方向に延びる係止片が配設され、該係止片は該薄板の表面から上方に傾斜して延出せしめられている、
ことを特徴とする石材を下地に装着するための治具が提供される。
【０００６】
好ましくは、該金属製薄板はアルミ押出形材である。該係止片は水平に対して３０乃至７０度の傾斜角αをなして上方に傾斜して延出せしめられているのが好適である。
【０００７】
本発明の他の局面によれば、上記技術課題を達成する治具として、複数個の略矩形状の金属製薄板と、該複数個の金属製薄板の夫々を上下方向に間隔をおいて略平行に規定し、夫々の該金属製薄板の裏面に長手方向に間隔をおいて複数個付設された連結ストラップとから構成され、
夫々の該薄板の下端部には長手方向に間隔をおいて複数個の孔が形成されており、
夫々の該薄板の上端部には該長手方向に延びる係止片が配設され、該係止片は該薄板の表面から上方に傾斜して延出せしめられている、
ことを特徴とする石材を下地に装着するための治具が提供される。
【０００８】
好ましくは、該金属製薄板はアルミ押出形材である。該係止片は水平に対して３０乃至７０度の傾斜角αをなして上方に傾斜して延出せしめられているのが好適である。
延びるのが好適である。
【０００９】
本発明の更に他の局面によれば、上記技術課題を達成する治具として、平板部材と、該平板部材の表面に配設されたクロスネットと、該クロスネットの表面に夫々が長手方向に間隔をおいて略平行に接着された複数個の略矩形状の金属製薄板とから構成され、
夫々の該薄板の下端部には長手方向に間隔をおいて複数個の孔が形成されており、
夫々の該薄板の上端部には該長手方向に延びる係止片が配設され、該係止片は該薄板の表面から上方に傾斜して延出せしめられている、
ことを特徴とする石材を下地に装着するための治具。
【００１０】
該平板部材はプラスチックフォーム材であるのが好都合である。該金属製薄板はアルミ押出形材であるのが好ましい。該係止片は水平に対して３０乃至７０度の傾斜角αをなして上方に傾斜して延出せしめられているのが好適である。
【発明の効果】
【００１１】
本発明の治具においては、  石材を下地に装着する際の作業効率を向上せしめると共に、接着剤が劣化せしめられても建造物の下地から石材が離脱せしめられることが充分確実に回避することができる。
【発明を実施するための最良の形態】
【００１２】
以下、本発明の好適実施形態について、添付図面を参照して更に詳細に説明する。
【００１３】
図１には、本発明にかかる、石材を下地に装着するための治具が図示されている。全体を番号２で示す治具は、複数個の金属製薄板４と、複数個の金属製薄板４の夫々を上下方向に間隔をおいて略平行に規定し、夫々の金属製薄板４の裏面に長手方向に間隔をおいて複数個付設された連結ストラップ６とから構成されている。
【００１４】
金属製薄板４は、その下端部に長手方向に間隔をおいて複数個の孔８が形成されており、その上端部には長手方向に延びる係止片１０が配設されている。図示の実施形態における金属製薄板４には、その下端に金属製薄板４の剛性を向上せしめるため金属製薄板４に対して略直角に長手方向に延びる補強部１２が設けられている。かかる金属製薄板４はアルミ押出形材であるのが好ましい。係止片１０は金属製薄板４の表面から上方に傾斜して延出せしめられており、好ましくは水平に対して３０乃至７０度の傾斜角αをなして上方に傾斜して延出せしめられている。
【００１５】
連結ストラップ６は金属、合成樹脂或いは布によって構成することができ、接着剤或いは適宜の固定手段によって夫々の金属製薄板４の裏面に接着或いは固定されている。
【００１６】
図１には、上述したとおりの治具２を使用して石材１４をモルタルセメントでよい下地１６に装着せしめた状態を図示している。図示の実施形態における石材１４は花崗岩、大理石の適宜の石材から矩形平板形状に加工せしめられており、平板形状主石材１８、平板形状主石材１８に固定された帯状補助石材２０、及び主石材１８と補助石材２０とを連結する適宜の連結手段２２から構成されている。石材１４における主石材１８及び補助石材２０は、それらの片面即ち表面（図２において右側面）が研磨加工が施され優れた外観を呈しており、他方の面即ち裏面（図２において左側面）は石材１４を下地１６に接着するための接着効果を増大せしめるために荒い面を有している。かかる石材１４を治具２を使用して下地１６に装着する際には、下地１６の上にクロスネット２４を被せ、下地１６と治具２とでクロスネット２４を挟むようにして夫々の金属製薄板４の長手方向が水平になるように配置せしめて、最上段の金属製薄板４を締結ボルト２６を孔８に通すことによって下地１６に固定せしめる。かくすると、最上段より下方に位置する金属製薄板４も連結ストラップ６によって最上段の金属製薄板４に対して略平行になるように規定されている故に水平になるように位置せしめられる。かくして、最上段の金属製薄板４のみを水平になるように固定せしめれば、最上段よりも下方に位置する金属製薄板４は自動的に水平になるように位置せしめられ、しかる後に  最上段よりも下方に位置する金属製薄板４を締結ボルト２６で締結することによって下地１６の表面に石材１４を装着するための治具２を取り付けることができる。その後、下地１６と金属製薄異他４とによって挟み込むことによって固定せしめられているクロスネット２４の上にエポキシ系樹脂の如き適宜の接着剤２８を塗布し、石材１４における補助石材２０の下端を下地１６に固定された治具２における金属製薄板４の係止片１０上に載置せしめ、石材１４における主石材１８の裏面及び補助石材２０の裏面を下地１６に接着せしめる。接着剤２８の下地１６への接着は下地１６の上にクロスネット２４が配設されているが故に接着効果が増大せしめられている。上述したとおりの操作を繰り返すことにより建造物の外装すべき下地１６全体に図２に図示するとおりに石材１４を効率よく装着することができる。本発明の治具は上述されたとおりに構成されているが故に、石材１４を下地１６に装着する際の作業効率を向上せしめると共に、接着剤が劣化せしめられても建造物の下地から石材が離脱せしめられることが充分確実に回避することができる。
【００１７】
図３には、本発明にかかる石材を下地に装着するための治具の他の好適実施形態が図示されている。全体を番号１０２で示す治具は、平板部材１０３と、平板部材１０３の表面に配設されたクロスネット１２４と、クロスネット１２４の表面に夫々が長手方向に間隔をおいて略平行に接着された複数個の略矩形状の金属製薄板１０４とから構成されている。平板部材１０３はプラスチックフォーム材であるのが好都合である。治具１０２における金属製薄板１０４の夫々の下端部には長手方向に間隔をおいて複数個の孔１０８が形成されている。治具１０２における金属製薄板１０４の夫々の上端部には長手方向に延びる係止片１１０が配設され、係止片１１０は金属製薄板１０４表面から上方に傾斜して延出せしめられている。図示の実施形態における金属製薄板１０４には、その下端に金属製薄板１０４の剛性を向上せしめるため金属製薄板１０４に対して略直角に長手方向に延びる補強部１１２が設けられている。かように構成された金属製薄板１０４はアルミ押出形材であるのが好ましい。係止片１１０は金属製薄板１０４の表面から上方に傾斜して延出せしめられており、好ましくは水平に対して３０乃至７０度の傾斜角αをなして上方に傾斜して延出せしめられている。
【００１８】
図４には、上述したとおりの治具１０２を使用して石材１４をモルタルセメントでよい下地１６に装着せしめた状態を図示している。石材１４を上述したとおりの治具１０２を使用して下地１６に装着する際には、夫々の金属製薄板１０４の長手方向が水平になるように治具１０２を下地１６に配置せしめ、次いで、治具１０２における金属製薄板１０４の孔１０８に締結ボルトを差し込み、下地１６に治具１０２を固定せしめる。かくすると、本発明の治具は金属製薄板４の夫々が平板部材１０３に略平行に配設されているが故に、金属製薄板１０４の全ては略水平になる。しかる後において、治具１０２における平板部材１０３の表面に配設されているクロスネット１０５の上にエポキシ系樹脂の如き適宜の接着剤２８を塗布し、石材１４における補助石材２０の下端を下地１６に固定された治具２における金属製薄板４の係止片１０上に載置せしめ、石材１４における主石材１８の裏面及び補助石材２０の裏面を下地１６に接着せしめる。接着剤２８の下地１６への接着は下地１６の上にクロスネット２４が配設されているが故に接着効果が増大せしめられている。上述したとおりの操作を繰り返すことにより建造物の外装すべき下地１６全体に図２に図示するとおりに石材１４を効率よく装着することができる。本発明の治具は上述されたとおりに構成されているが故に、石材１４を下地１６に装着する際の作業効率を向上せしめると共に、接着剤が劣化せしめられても建造物の下地から石材が離脱せしめられることが充分確実に回避することができる。
【図面の簡単な説明】
【００１９】
【図１】本発明にかかる、石材を下地に装着するための治具の好適実施形態を図示する斜視図。
【図２】図１の治具を使用して石材を下地に装着せしめた状態を示す断面図。
【図３】本発明にかかる、石材を下地に装着するための治具の他の好適実施形態を図示する斜視図。
【図４】図３の治具を使用して石材を下地に装着せしめた状態を示す断面図。
【符号の説明】
【００２０】
２：治具
４：金属製薄板
６：連結ストラップ
８：孔
１０：係止片
１４：石材
１６：下地
１０２：治具
１０３：平板部材
１０４：金属製薄板
１０８：孔
１１０：係止片
１２４：クロスネット
【図１】
2005113503.tif 000003
【図２】
2005113503.tif 000004
【図３】
2005113503.tif 000005
【図４】
2005113503.tif 000006